(57)【要約】【課題】装置の取り扱いに不慣れなユーザであっても容易に操作することができ、また、使い勝手が極めて良好である放射線画像情報読取装置を提供する。【解決手段】第２表示部２６は、簡単メニュー記憶部９６に記憶された簡単メニューを表示する一方、選択ボタン５２ａ〜５２ｄによって表示を切り替え、全機能メニュー記憶部９８に記憶された全機能メニューを表示する。選択されたメニューは、その選択履歴がメニュー選択履歴記憶部１００に記憶され、選択履歴に従い、所定の時期に簡単メニューの内容が変更される。【選択図】図４
2005265944.tif 000002
【特許請求の範囲】
【請求項１】
複数の処理機能を表示する表示部を有し、前記表示部に表示された前記処理機能に基づき、蓄積性蛍光体パネルに記録された放射線画像情報の読取処理及び／又は消去処理を行う放射線画像情報読取装置において、
全ての前記処理機能に係る全処理機能情報を記憶する全処理機能情報記憶部と、
前記全処理機能情報から抽出した抽出処理機能情報を記憶する抽出処理機能情報記憶部と、
前記全処理機能情報又は前記抽出処理機能情報を切り替えて前記表示部に表示する表示切替部と、
を備えることを特徴とする放射線画像情報読取装置。
【請求項２】
請求項１記載の装置において、
前記表示部に表示された前記処理機能を選択する選択部と、
前記選択部により選択された前記処理機能の選択履歴を記憶する選択履歴記憶部と、
前記選択履歴に従い、前記表示部に表示される前記抽出処理機能情報を変更する抽出処理機能情報変更部と、
を備えることを特徴とする放射線画像情報読取装置。
【請求項３】
請求項１記載の装置において、
前記抽出処理機能情報変更部は、前記選択履歴に基づき、選択頻度が高い順に前記処理機能情報を選択し、前記抽出処理機能情報を変更することを特徴とする放射線画像情報読取装置。
【発明の詳細な説明】
【技術分野】
【０００１】
本発明は、複数の処理機能を表示する表示部を有し、前記表示部に表示された前記処理機能に基づき、蓄積性蛍光体パネルに記録された放射線画像情報の読取処理及び／又は消去処理を行う放射線画像情報読取装置に関する。
【背景技術】
【０００２】
従来から、照射された放射線エネルギの一部を蓄積する一方、可視光等の励起光を照射することにより、蓄積された放射線エネルギに応じて輝尽発光する蓄積性蛍光体パネルを用いた放射線画像情報読取装置が知られている。
【０００３】
放射線画像情報読取装置は、例えば、人体等の被写体の放射線画像情報が蓄積記録された蓄積性蛍光体パネルを保持したカセッテが装填されるカセッテ装填部と、蓄積性蛍光体パネルに励起光を照射して放射線画像情報を読み取る読取部と、放射線画像情報の読み取られた蓄積性蛍光体パネルに消去光を照射して残存する放射線画像情報を消去する消去部とを備えて構成される。なお、残存する放射線画像情報の消去処理が完了した蓄積性蛍光体パネルは、カセッテに保持された状態で外部に排出されることにより、再利用に供せられる。
【０００４】
このように構成される放射線画像情報読取装置は、放射線画像情報を読み取った後、消去を行う通常の機能に加えて、放射線画像情報が残存する蓄積性蛍光体パネルの消去処理のみを行う機能、塵埃等による読取機能の低下に対処するために読取部のクリーニングを行う機能、当該装置をスリープ状態に設定する機能、接続された複数のコンソールから当該装置を制御するコンソールを選択する機能、その他多数の処理機能を有し、これらの処理機能を表示してユーザに選択させるために表示部を備えている。
【０００５】
ところで、表示部に一度に表示できる処理機能の数は限られており、通常、複数のメニュー画面を階層構造とし、切り替えて表示するのが一般的である。この場合、操作に不慣れなユーザは、所望の処理機能になかなか到達できないという不具合が生じる。
【０００６】
そこで、ファクシミリや携帯端末等の通信機器において、重要度の高い処理機能から構成される簡単メニュー画面と、選択可能なほぼ全ての処理機能から構成される通常メニュー画面とを用意し、これらのメニュー画面を切り替えて表示できるようにした従来技術がある（特許文献１、２参照）。
【０００７】
【特許文献１】特開２００３−５１９０３号公報
【特許文献２】特開２００３−５８２９２号公報
【発明の開示】
【発明が解決しようとする課題】
【０００８】
しかしながら、これらの従来技術は、メニュー画面の表示サイズが著しく制限される小型の通信機器を対象として切替表示を行うように構成したものであり、装置の取り扱いに不慣れなユーザを対象とした放射線画像情報読取装置を対象としたものではない。
【０００９】
また、簡単メニュー画面で表示される処理機能が固定されており、ユーザの使用状況に応じて変更できる構成になっていないため、必ずしも全てのユーザに対して使い勝手が良好となるものではない。
【００１０】
本発明は、前記の課題に鑑みてなされたものであり、装置の取り扱いに不慣れなユーザであっても容易に操作することができ、また、使い勝手が極めて良好である放射線画像情報読取装置を提供することを目的とする。
【課題を解決するための手段】
【００１１】
前記の目的を達成するために、本発明は、複数の処理機能を表示する表示部を有し、前記表示部に表示された前記処理機能に基づき、蓄積性蛍光体パネルに記録された放射線画像情報の読取処理及び／又は消去処理を行う放射線画像情報読取装置において、
全ての前記処理機能に係る全処理機能情報を記憶する全処理機能情報記憶部と、
前記全処理機能情報から抽出した抽出処理機能情報を記憶する抽出処理機能情報記憶部と、
前記全処理機能情報又は前記抽出処理機能情報を切り替えて前記表示部に表示する表示切替部と、
を備えることを特徴とする（請求項１記載の発明）。
【００１２】
この場合、ユーザは、抽出処理機能情報記憶部に記憶されている抽出された抽出処理機能情報を表示した表示部の表示情報に従い、蓄積性蛍光体パネルに対する通常の処理を簡単に行うことができる一方、表示切替部により全処理機能情報記憶部に記憶されている全処理機能情報に表示を切り替えることにより、必要に応じた他の処理機能に基づく各種設定等の処理を行うことができる。
【００１３】
また、ユーザの選択部の操作による処理機能の選択履歴を選択履歴記憶部に蓄積記憶させ、その選択履歴に応じて、抽出処理機能情報変更部により抽出処理機能情報を変更することにより、ユーザの選択頻度に応じた抽出処理機能情報を表示させることができる（請求項２記載の発明）。なお、抽出処理機能情報は、選択頻度の高い順に表示されるように変更すると好適である（請求項３記載の発明）。
【発明の効果】
【００１４】
本発明によれば、装置の取り扱いに不慣れなユーザであっても、全ての処理機能情報から抽出して表示された抽出処理機能情報に従って放射線画像情報読取装置を極めて容易に操作することができる。
【００１５】
また、ユーザによる処理機能の選択頻度に応じて表示する抽出処理機能情報を変更することができるため、全てのユーザにとって極めて使い勝手の良好な処理機能情報の表示を行うことができる。
【発明を実施するための最良の形態】
【００１６】
図１は、本発明の放射線画像情報読取装置が適用される放射線画像処理システム１の構成図である。この放射線画像処理システム１は、撮影室に設置され、放射線技師等によって操作される撮影装置５と、放射線画像情報読取装置１０と、撮影装置５及び放射線画像情報読取装置１０を制御するコンソール４とから基本的に構成される。
【００１７】
撮影装置５には、後述する蓄積性蛍光体パネルＩＰを保持したカセッテ１８が装填され、医師が指示した撮影情報に従って被写体の放射線画像情報の記録が行われる。放射線画像情報読取装置１０には、放射線画像情報が蓄積記録されたカセッテ１８が装填され、被写体のＩＤ情報及び撮影情報に従って放射線画像情報の読取処理が行われる。被写体である患者の氏名、年齢、性別等からなるＩＤ情報と、撮影部位、撮影条件等からなる撮影情報とは、放射線画像情報読取装置１０に接続されたコンソール４から入力される。
【００１８】
図２は、放射線画像情報読取装置１０の外観図を示し、図３は、放射線画像情報読取装置１０の内部構成図を示す。
【００１９】
放射線画像情報読取装置１０は、ケーシング１２の上部にカセッテ装填部１４を備え、該カセッテ装填部１４に対して、放射線画像情報が蓄積記録された蓄積性蛍光体パネルＩＰを収容したカセッテ１８が装填される。カセッテ装填部１４の側部には、放射線画像情報読取装置１０を起動させる電源ボタン２２と、放射線画像情報読取装置１０の動作状態を表示する第１表示部２４と、ＩＤ情報及び撮影情報を表示するとともに、後述する簡単メニュー及び全機能メニューを表示する第２表示部２６と、第２表示部２６に表示される簡単メニュー及び全機能メニューを切り替えるとともに、各種処理機能を選択するための選択ボタン５２ａ〜５２ｄとが配設される。
【００２０】
放射線画像情報読取装置１０の内部には、カセッテ装填部１４の近傍に、蓋部材５６が開蓋されたカセッテ１８から蓄積性蛍光体パネルＩＰを吸着して取り出す吸着盤５８と、前記吸着盤５８によって取り出された蓄積性蛍光体パネルＩＰを挟持搬送するニップローラ６０とが配設される。ニップローラ６０に連設して、複数の搬送ローラ６２ａ〜６２ｈ及び複数のガイド板６４ａ〜６４ｉを有する湾曲した搬送機構６６が配設される。前記搬送機構６６は、カセッテ１８から供給された蓄積性蛍光体パネルＩＰを所望の部位に搬送する。
【００２１】
放射線画像情報読取装置１０の略中央部には、励起光であるレーザビームＬを導出して蓄積性蛍光体パネルＩＰを走査する走査ユニット６８が配設される。走査ユニット６８には、レーザビームＬを出力するレーザ発振器７０と、前記レーザビームＬを偏向走査する回転多面鏡であるポリゴンミラー７２と、前記レーザビームＬを反射させて蓄積性蛍光体パネルＩＰに導く反射ミラー７４とが配設される。
【００２２】
前記走査ユニット６８から射出されたレーザビームＬは、搬送機構６６を構成する搬送ローラ６２ｄ、６２ｅ間より蓄積性蛍光体パネルＩＰに照射される。なお、図示はしていないが、レーザビームＬを蓄積性蛍光体パネルＩＰに集光させるための集光光学系も配設されていることは勿論である。
【００２３】
走査ユニット６８に近接して読取ユニット７６が配設される。読取ユニット７６は、一端部が搬送ローラ６２ｄ、６２ｅ間の蓄積性蛍光体パネルＩＰに近接して配置される集光ガイド７８と、集光ガイド７８の他端部に連結され、蓄積性蛍光体パネルＩＰから得られた輝尽発光光を電気信号に変換するフォトマルチプライヤ８０とから構成される。なお、本実施形態では、フォトマルチプライヤ８０を、蓄積性蛍光体パネルＩＰの搬送方向と直交する方向に長尺な形態のものとしているが、他の形態のものであってもよい。
【００２４】
ニップローラ６０と搬送機構６６を構成する搬送ローラ６２ａとの間には、放射線画像情報の読み取られた蓄積性蛍光体パネルＩＰに残存する放射線エネルギを除去する消去ユニット８２が配設される。消去ユニット８２は、ハロゲンランプ等からなる複数の消去光源８４を有する。
【００２５】
図４は、放射線画像情報読取装置１０の制御ブロック図を示す。
【００２６】
放射線画像情報読取装置１０には、インタフェース（Ｉ／Ｆ）８６を介してコンソール４が接続される。放射線画像情報読取装置１０を構成する制御部８８には、第１表示部２４、第２表示部２６及び選択ボタン５２ａ〜５２ｄ（表示切替部、選択部）が接続される。また、制御部８８には、第２表示部２６に表示される簡単メニューの構成内容を変更するための簡単メニュー変更部９０（抽出処理機能情報変更部）と、読取ユニット７６により取得した放射線画像情報を撮影情報に従って処理する画像情報処理部９２と、走査ユニット６８、読取ユニット７６及び消去ユニット８２を制御する読取／消去制御部９４とが接続される。
【００２７】
さらに、制御部８８には、第２表示部２６に表示される簡単メニューを記憶する簡単メニュー記憶部９６（抽出処理機能情報記憶部）と、全機能メニューを記憶する全機能メニュー記憶部９８（全処理機能情報記憶部）と、選択ボタン５２ａ〜５２ｄにより選択された簡単メニュー又は全機能メニューの選択履歴を記憶するメニュー選択履歴記憶部１００（選択履歴記憶部）と、画像情報処理部９２により処理された放射線画像情報を記憶する画像情報記憶部１０２とが接続される。
【００２８】
ここで、簡単メニューとは、放射線画像情報読取装置１０の操作において選択頻度の高い処理機能を抽出したメニューである。例えば、図５には、蓄積性蛍光体パネルＩＰの消去処理を行うメニュー（「消去」と表示）、読取ユニット７６のクリーニング処理を行うメニュー（「スキャナクリーニング」と表示）、放射線画像情報読取装置１０の動作を終了させるメニュー（「終了」と表示）が簡単メニューとして表示されている。この簡単メニューは、対応する位置に配置された選択ボタン５２ａ〜５２ｄを操作して選択することができる。なお、簡単メニューは、ユーザによるメニューの選択履歴に応じて変更することができる。
【００２９】
また、全機能メニューとは、放射線画像情報読取装置１０で使用可能な全ての処理機能を選択することのできるメニューであり、例えば、図６に示すように、蓄積性蛍光体パネルＩＰの読取処理及び消去処理を切り替えるメニュー（「動作切替」と表示）、読取ユニット７６のクリーニングを行うメニュー（「スキャナクリーニング」と表示）、詳細な処理機能を選択するメニュー（「ユーティリティー」と表示）、放射線画像情報読取装置１０の動作を終了させるメニュー（「終了」と表示）が表示される。「ユーティリティー」のメニューは、選択ボタン５２ｃを操作することにより、さらに、図７及び図８のメニューに切り替えることができる。この場合、メニュー上に「戻る」、「↑」、「↓」、「選択」と表示されたサブメニューに対応する位置に配置された選択ボタン５２ａ〜５２ｄを操作することで、各処理機能を選択することができる。
【００３０】
本実施形態の放射線画像処理システム１は、基本的には以上のように構成されるものであり、次にその動作並びに作用効果について説明する。
【００３１】
先ず、技師は、コンソール４を用いて、患者の氏名、年齢、性別等のＩＤ情報と、診断に必要な撮影部位、撮影条件等の撮影情報を入力する。入力されたＩＤ情報及び撮影情報は、インタフェース（Ｉ／Ｆ）８６を介して放射線画像情報読取装置１０に送信される。
【００３２】
放射線画像情報読取装置１０は、ＩＤ情報及び撮影情報を第２表示部２６に表示する。この場合、第２表示部２６には、図５に示すように、撮影の対象となる患者名がＩＤ情報に基づいて表示されるとともに、撮影部位を特定するための撮影メニューが撮影情報に基づいて表示される。また、第２表示部２６には、簡単メニュー記憶部９６に記憶された簡単メニューが表示されているものとする。
【００３３】
そこで、技師は、第２表示部２６に表示された患者情報及び撮影メニューに基づいて、カセッテ１８を撮影装置５にセットして放射線画像情報の撮影を行う。
【００３４】
撮影が終了した後、技師は、図５に示す第２表示部２６の表示内容を確認し、該当する放射線画像情報が記録された蓄積性蛍光体パネルＩＰを収納するカセッテ１８を放射線画像情報読取装置１０に装填する。
【００３５】
カセッテ１８がカセッテ装填部１４に装填されると、図示しない開蓋機構が駆動され、放射線画像情報読取装置１０内において蓋部材５６が開蓋される。次いで、吸着盤５８がカセッテ１８内の蓄積性蛍光体パネルＩＰを吸着枚葉し、ニップローラ６０に供給する。ニップローラ６０は、蓄積性蛍光体パネルＩＰを搬送機構６６に供給する。搬送機構６６は、搬送ローラ６２ａ〜６２ｈを駆動し、蓄積性蛍光体パネルＩＰをガイド板６４ａ〜６４ｉに沿って搬送する。
【００３６】
蓄積性蛍光体パネルＩＰは、搬送ローラ６２ｄ、６２ｅ間で副走査搬送されるとともに、走査ユニット６８から射出された励起光であるレーザビームＬが副走査方向と直交する主走査方向に蓄積性蛍光体パネルＩＰを走査する。すなわち、レーザ発振器７０から出力されたレーザビームＬは、高速で回転するポリゴンミラー７２によって反射偏向された後、反射ミラー７４を介して蓄積性蛍光体パネルＩＰに導かれる。
【００３７】
レーザビームＬが照射された蓄積性蛍光体パネルＩＰは、蓄積記録されている放射線画像情報に応じた輝尽発光光を出力する。この輝尽発光光は、蓄積性蛍光体パネルＩＰの主走査方向に沿って近接配置された集光ガイド７８を介して読取ユニット７６を構成するフォトマルチプライヤ８０に導かれる。蓄積性蛍光体パネルＩＰから読み取られた放射線画像情報は、画像情報処理部９２において、撮影情報に従った画像処理条件により処理される。
【００３８】
画像処理された放射線画像情報は、コンソール４に表示され、あるいは、図示しないネットワークを介して診察室等に送信されることにより、医師による診断が可能となる。
【００３９】
放射線画像情報の読み取られた蓄積性蛍光体パネルＩＰは、搬送ローラ６２ｈ側まで搬送された後、搬送機構６６により逆転搬送され、ニップローラ６０及び搬送ローラ６２ａ間に配置される消去ユニット８２を介してカセッテ１８に収容される。このとき、消去ユニット８２を構成する消去光源８４が点灯し、出力される消去光が蓄積性蛍光体パネルＩＰに照射されることで、残存する放射線エネルギが除去される。
【００４０】
放射線エネルギの除去された蓄積性蛍光体パネルＩＰを収容したカセッテ１８は、放射線画像情報読取装置１０から排出された後、次なる放射線画像情報の撮影に供される。
【００４１】
なお、放射線画像情報読取装置１０におけるこれらの処理状態、例えば、読取中、消去中、カセッテ排出等の処理状態は、第１表示部２４に表示される。技師は、この表示内容に従って次の作業準備を行うことができる。
【００４２】
ここで、第２表示部２６には、処理対象となる患者情報及び撮影メニューが表示されるとともに、放射線画像情報読取装置１０における選択頻度の高いメニューである簡単メニューが表示されており、技師は、選択ボタン５２ａ〜５２ｄを用いて所望のメニューを選択して処理を行うことができる。
【００４３】
例えば、蓄積性蛍光体パネルＩＰの前回の使用から長時間が経過しており、放射線画像情報の撮影に先だって消去処理のみを行う必要のある場合がある。その場合には、選択ボタン５２ａを操作して「消去」の処理機能を選択することにより、放射線画像情報読取装置１０の消去ユニット８２のみを稼動させた消去処理を行うことができる。なお、技師が選択ボタン５２ａを操作すると、第２表示部２６には、例えば、「消去できます。」というコメントが表示されるとともに、「消去」のメニューに代えて「読取」のメニューが表示される。
【００４４】
また、放射線画像情報読取装置１０を多数回使用することで読取ユニット７６の集光ガイド７８等に塵埃が付着することがあるが、その場合には、選択ボタン５２ｂを操作して「スキャナクリーニング」の処理機能を選択し、集光ガイド７８の自動清掃を行うことができる。
【００４５】
一方、技師が選択ボタン５２ａ〜５２ｄを操作すると、その操作に対応した処理機能の選択履歴が自動的に取得され、メニュー選択履歴記憶部１００に記憶される。簡単メニュー変更部９０は、メニュー選択履歴記憶部１００に記憶された各処理機能の選択履歴を比較し、所定の時期において、選択頻度の高い順に簡単メニュー記憶部９６の内容を書き替える。
【００４６】
この場合、第２表示部２６には、技師に応じた選択頻度の高い簡単メニューが表示される。従って、放射線画像情報読取装置１０の操作に不慣れな技師であっても、簡単メニューのみを用いて、放射線画像情報読取装置１０の所望の機能を容易に選択して操作することができる。
【００４７】
また、全機能メニュー記憶部９８には、放射線画像情報読取装置１０における全ての処理機能情報が記憶されており、技師が簡単メニューに表示されていないその他の処理機能の選択を欲する場合、例えば、選択ボタン５２ａを何回か操作することにより、図６に示す全処理機能情報を選択することのできる全機能メニューを第２表示部２６に表示させることができる。
【００４８】
この場合、技師は、表示された処理機能情報から所望の処理機能情報を選択することができる。例えば、選択ボタン５２ａを操作して「動作切替」の処理機能を選択することにより、簡単メニューの場合と同様に、蓄積性蛍光体パネルＩＰの読取処理、消去処理等を選択することができる。
【００４９】
また、選択ボタン５２ｃを操作して「ユーティリティー」の処理機能を選択することにより、図７又は図８に示す各メニューを表示させ、さらに他の処理機能を選択することが可能となる。この場合、例えば、「メニュー切替」は、第２表示部２６に表示されるメニューを簡単メニュー又は全機能メニューに切り替える処理機能、「マスターＣＬ」は、コンソール４が故障したようなときに、他の撮影室のコンソールに切り替える処理機能、「スリープ設定」は、放射線画像情報読取装置１０のスリープモードをＯＮ／ＯＦＦする処理機能を表す。
【００５０】
なお、図７及び図８に示す各メニューの配列順序を、そのメニューの選択頻度の高い順に変更することにより、簡単メニューの場合と同様に、使用勝手の良好な全機能メニューを構築することができる。
【図面の簡単な説明】
【００５１】
【図１】本発明の実施形態に係る放射線画像処理システムの構成図である。
【図２】図１に示す放射線画像処理システムを構成する放射線画像情報読取装置の外観図である。
【図３】図２に示す放射線画像情報読取装置の内部構成図である。
【図４】図２に示す放射線画像情報読取装置の制御ブロック図である。
【図５】図２に示す放射線画像情報読取装置の第２表示部に表示された簡単メニューの説明図である。
【図６】図２に示す放射線画像情報読取装置の第２表示部に表示された全機能メニューの説明図である。
【図７】図６に示す全機能メニューからユーティリティーを選択した場合のメニューの説明図である。
【図８】図６に示す全機能メニューからユーティリティーを選択した場合のメニューの説明図である。
【符号の説明】
【００５２】
１…放射線画像処理システム      ４…コンソール
５…撮影装置                    １０…放射線画像情報読取装置
１８…カセッテ                  ２６…第２表示部
６８…走査ユニット              ７６…読取ユニット
８２…消去ユニット              ９６…簡単メニュー記憶部
９８…全機能メニュー記憶部      １００…メニュー選択履歴記憶部
ＩＰ…蓄積性蛍光体パネル
【図１】
2005265944.tif 000003
【図２】
2005265944.tif 000004
【図３】
2005265944.tif 000005
【図４】
2005265944.tif 000006
【図５】
2005265944.tif 000007
【図６】
2005265944.tif 000008
【図７】
2005265944.tif 000009
【図８】
2005265944.tif 000010